(57)【要約】【課題】原料ガスからＣＯ２を効率的に回収できるようにする。【解決手段】吸着塔２Ａ（２Ｂ、２Ｃ）に原料ガスを導入して、原料ガスに含有されているＣＯ２を吸着剤３に吸着させる吸着工程と、吸着塔２Ａ、２Ｂ、２Ｃに洗浄用ガスを導入して、吸着剤２Ａ（２Ｂ、２Ｃ）からＣＯ２以外のガスを離脱させる洗浄工程と、吸着剤３からＣＯ２を離脱させて吸着塔２Ａ（２Ｂ、２Ｃ）から導出する回収工程とを行う。その際、洗浄工程において吸着塔２Ａ（２Ｂ、２Ｃ）から導出したオフガスを、オフガス貯留部４２に貯留させるようにした。このオフガス貯留部４２に貯留したオフガスを原料ガスに混合させることにより、吸着塔２Ａ（２Ｂ、２Ｃ）に導入する原料ガスのＣＯ２濃度を調節するようにした。【選択図】図１
2008174407.tif 000002
【特許請求の範囲】
【請求項１】
吸着剤を備える吸着塔を用いて、原料ガスからＣＯ２を回収するＣＯ２回収方法であって、
前記吸着塔に原料ガスを導入して、原料ガスに含有されているＣＯ２を前記吸着剤に吸着させる吸着工程と、
前記吸着塔に洗浄用ガスを導入して、前記吸着剤からＣＯ２以外のガスを離脱させる洗浄工程と、
前記吸着剤からＣＯ２を離脱させて吸着塔から導出する回収工程とを行い、
前記洗浄工程において前記吸着塔から導出したオフガスを、オフガス貯留部に貯留し、
前記オフガス貯留部に貯留したオフガスを混合させることにより、前記吸着塔に導入する原料ガスのＣＯ２濃度を調節することを特徴とする、ＣＯ２回収方法。
【請求項２】
前記洗浄工程の前期においては、前記オフガスを外部に排出し、前記洗浄工程の後期においては、前記オフガスをオフガス貯留部に貯留することを特徴とする、請求項１に記載のＣＯ２回収方法。
【請求項３】
前記オフガスのＣＯ２濃度が９０％未満である場合は、前記オフガスを外部に排出し、前記オフガスのＣＯ２濃度が９０％以上である場合は、前記オフガスを前記オフガス貯留部に貯留することを特徴とする、請求項１又は２に記載のＣＯ２回収方法。
【請求項４】
前記オフガス貯留部に貯留したオフガスを混合させることにより、前記吸着塔に導入する原料ガスのＣＯ２濃度を設定濃度以上にすることを特徴とする、請求項１〜３のいずれかに記載のＣＯ２回収方法。
【請求項５】
前記吸着塔に原料ガスを導入する前に、原料ガスのＣＯ２濃度を検出し、
前記検出した原料ガスのＣＯ２濃度が設定濃度未満である場合は、前記オフガス貯留部に貯留したオフガスを前記吸着塔に導入する原料ガスに混合させ、
前記検出した原料ガスのＣＯ２濃度が設定濃度以上である場合は、前記オフガス貯留部に貯留したオフガスを前記吸着塔に導入する原料ガスに混合させないことを特徴とする、請求項４に記載のＣＯ２回収方法。
【請求項６】
原料ガスは、高炉に熱風を供給する熱風炉の排ガスであることを特徴とする、請求項１〜５のいずれかに記載のＣＯ２回収方法。
【請求項７】
前記排ガスが、前記熱風炉で可燃ガスを燃焼させて蓄熱を行う燃焼工程を行う際に排出された排ガスである場合は、前記オフガス貯留部に貯留したオフガスを前記原料ガスに混合させず、
前記排ガスが、前記燃焼工程の後に前記熱風炉内を排気して減圧する排圧工程を行う際に排出された排ガスである場合は、前記オフガス貯留部に貯留したオフガスを前記原料ガスに混合させることを特徴とする、請求項６に記載のＣＯ２回収方法。
【請求項８】
複数の吸着塔において、前記吸着工程、前記洗浄工程、前記回収工程をそれぞれ行い、
前記複数の吸着塔から導出したオフガスを、前記オフガス貯留部に一括して貯留し、
前記オフガス貯留部に貯留したオフガスを原料ガスに混合させ、前記複数の吸着塔のいずれかに導入させることを特徴とする、請求項１〜７のいずれかに記載のＣＯ２回収方法。
【請求項９】
吸着剤を備える吸着塔を用いて、原料ガスからＣＯ２を回収するＣＯ２回収装置であって、
前記吸着塔に原料ガスを導入する原料ガス導入路と、前記吸着塔からオフガスを導出するオフガス導出路と、前記吸着剤に吸着されたＣＯ２を前記吸着塔から導出する回収ガス導出路と、前記吸着塔に洗浄用ガスを導入する洗浄用ガス導入路と、を備え、
前記オフガス導出路によって導出したオフガスを外部に排出させるオフガス排出路と、前記オフガス導出路によって導出したオフガスを貯留するオフガス貯留部とを設け、
前記オフガスを前記オフガス排出路によって排出する状態と前記オフガス貯留部に貯留する状態とを切り替えるオフガス導出切替部と、
前記オフガス貯留部に貯留されたオフガスを前記原料ガス導入路によって導入される原料ガスに混合させる状態と混合させない状態とを切り替えるオフガス導入切替部とを備えることを特徴とする、ＣＯ２回収装置。
【請求項１０】
前記オフガス導出切替部を制御するオフガス導出制御部を設け、
前記オフガス導出制御部は、前記洗浄用ガス導入路によって前記洗浄用ガスを導入する際、前記オフガスを前記オフガス貯留部に貯留するように制御することを特徴とする、請求項９に記載のＣＯ２回収装置。
【請求項１１】
前記オフガス導出制御部は、前記洗浄用ガス導入路による前記洗浄用ガスの導入を開始してから所定時間が経過するまでは、前記オフガスを前記オフガス排出路によって排出させ、前記洗浄用ガス導入路による前記洗浄用ガスの導入を開始してから所定時間が経過したら、前記オフガスを前記オフガス貯留部に貯留するように制御することを特徴とする、請求項１０に記載のＣＯ２回収装置。
【請求項１２】
前記オフガス導出制御部は、前記オフガスのＣＯ２濃度が９０％未満である場合は、前記オフガスを前記オフガス排出路によって排出させ、前記オフガスのＣＯ２濃度が９０％以上である場合は、前記オフガスを前記オフガス貯留部に貯留するように制御することを特徴とする、請求項１０又は１１に記載のＣＯ２回収装置。
【請求項１３】
前記オフガス導入切替部を制御するオフガス導入制御部を設け、
前記オフガス導入制御部は、前記オフガスを混合した後の原料ガスのＣＯ２濃度が設定濃度以上になるように、前記オフガスの混合を制御することを特徴とする、請求項９〜１２のいずれかに記載のＣＯ２回収装置。
【請求項１４】
前記原料ガス導入路に、原料ガスのＣＯ２濃度を検出するＣＯ２濃度検出器を設け、
前記オフガス導入制御部は、前記ＣＯ２濃度検出器によって検出した原料ガスのＣＯ２濃度が設定濃度未満である場合は、前記オフガス貯留部に貯留したオフガスを前記吸着塔に導入する原料ガスに混合させ、前記検出した原料ガスのＣＯ２濃度が設定濃度以上である場合は、前記オフガス貯留部に貯留したオフガスを前記吸着塔に導入する原料ガスに混合させないように制御することを特徴とする、請求項１３に記載のＣＯ２回収装置。
【請求項１５】
前記吸着塔を複数備え、
前記オフガス貯留部は、前記複数の吸着塔から導出されたオフガスを一括して貯留することを特徴とする、請求項９〜１４のいずれかに記載のＣＯ２回収装置。
【発明の詳細な説明】
【技術分野】
【０００１】
本発明は、例えば製鉄所の熱風炉から排出される排ガス等からＣＯ２を回収する方法及び装置に関する。
【背景技術】
【０００２】
製鉄所には、高炉に対して熱風を吹き込む熱風炉が設置されている（特許文献１、２参照）。熱風炉から排出される排ガスは、ＣＯ２（炭酸ガス）、Ｎ２（窒素ガス）、Ｈ２Ｏ（水蒸気）、Ｈ２（水素ガス）、Ｏ２（酸素ガス）等を含有するが、特にＣＯ２は、ドライアイスの原料等、各種工業用ガスとして有効に利用できるため、排ガス中から分離して回収するようにしている。
【０００３】
排ガスからＣＯ２を回収する方法としては、ＰＳＡ（圧力変動吸着；Ｐｒｅｓｓｕｒｅ  Ｓｗｉｎｇ  Ａｄｓｏｒｐｔｉｏｎ）法を用いるものが知られている（特許文献３参照）。この方法は、主に以下の工程によって構成されている。即ち、吸着塔に原料ガス（熱風炉の排ガス等）を導入して、原料ガスに含有されているＣＯ２を吸着塔内の吸着剤に吸着させる吸着工程、吸着塔に洗浄用ガス（ＣＯ２）を導入して、吸着剤からＣＯ２以外のガス（非ＣＯ２成分）を離脱（置換脱着）させ、吸着塔からオフガスとして導出させる洗浄工程、吸着剤に吸着されたＣＯ２を吸着剤から離脱（真空脱着）させ、回収ガス（製品ガス）として吸着塔内から導出させる回収工程（減圧工程）、によって構成されており、これらの工程を順番に繰り返すものである。また、かかるＰＳＡ法による回収を行うＣＯ２回収装置（ＰＳＡ装置）には、例えば２〜４つ程度の複数の吸着塔が設置される。即ち、各吸着塔が吸着工程、洗浄工程、回収工程を交互に行うことにより、ＣＯ２を連続的に回収できるようになっている。
【０００４】
また、熱風炉は通常１基の高炉に対して４基設けられており、これら４基の熱風炉に対して、１つのＣＯ２回収装置が設けられている。各熱風炉では、炉内で燃料ガスを燃焼させて蓄熱を行う燃焼工程、炉内に空気を送風して蓄熱により昇温させ、熱風として高炉に供給する送風工程、炉内を排気して減圧する排圧工程がこの順に行われる。また、４基の熱風炉のうち２基が排圧工程と燃焼工程を行う間、他の２基が送風工程を行うように制御される。即ち、高炉に対して常に２基の熱風炉（送風工程を行う熱風炉）から熱風が供給されるように、また、ＣＯ２回収装置には、常に２基の熱風炉（排圧工程と燃焼工程を行う熱風炉）から排ガスが供給されるようになっている。
【０００５】
ところで、これらの熱風炉からＣＯ２回収装置に供給される排ガスは、ＣＯ２濃度が周期的に変動する。即ち、燃焼工程の排ガス（燃焼排ガス）はＣＯ２濃度が高いが、排圧工程の排ガス（排圧ガス）は空気を多量に含有し、ＣＯ２濃度が低いものである。従って、排ガスのＣＯ２濃度は、排圧工程が行われるときに一時的に低下する。
【０００６】
一方、吸着塔内に設けられている吸着剤は、吸着塔内のＣＯ２分圧が高いほど、ＣＯ２の吸着効率が高くなる特性を有している。そのため、上記のように、原料ガス（排ガス）のＣＯ２濃度が低くなると、吸着塔内のＣＯ２分圧が低くなり、ＣＯ２の吸着効率が低下してしまう。また、原料ガスのＣＯ２濃度が低くなると、吸着塔内に非ＣＯ２成分が残留しやすくなるので、洗浄工程においては、洗浄用ガスの供給量を増加させないと、吸着塔から非ＣＯ２成分を十分に排出させることができなくなる。その結果、回収工程において吸着塔内から導出される回収ガスに、非ＣＯ２成分が混入し、回収ガスの純度が低下するおそれがある。しかし、洗浄用ガスの供給量を増加させると、オフガスとして排出されてしまう洗浄用ガスの量も多くなる。この洗浄用ガスとしては、一般的に回収ガスの一部を使用するので、洗浄用ガスの供給量を増加させることは、回収ガスの回収量の低下を招くこととなり、望ましくない。
【０００７】
上記のような問題に対して、従来、排圧工程における排ガスをＣＯ２回収装置（炭酸ガス製造装置）に供給せず、燃焼工程におけるＣＯ２濃度が高い排ガスのみをＣＯ２回収装置に供給するようにした構成が提案されている（特許文献１、２参照）。
【０００８】
【特許文献１】特開平１−１６４７１５号公報
【特許文献２】特開平１−１６４７１６号公報
【特許文献３】特開平１０−１０１３１８号公報
【発明の開示】
【発明が解決しようとする課題】
【０００９】
しかしながら、従来の特許文献１、２の設備を適用する場合、熱風炉から排ガスを排出させる管路、管路を開閉する弁等を設置する工事が大規模なものになり、設備費も高くなる問題があった。
【００１０】
なお、例えば原料ガスに対して回収ガスの一部を混合させることにより、原料ガスのＣＯ２濃度を高める方法も考えられるが、この場合も、オフガスとして排出されてしまう回収ガスの量が多くなり、回収ガスの回収量が低下する懸念があった。
【００１１】
本発明は、上記の点に鑑みてなされたものであり、簡単な構成で、原料ガスからＣＯ２を効率的に回収できるＣＯ２回収方法及びＣＯ２回収装置を提供することを目的とする。
【課題を解決するための手段】
【００１２】
上記課題を解決するため、本発明によれば、吸着剤を備える吸着塔を用いて、原料ガスからＣＯ２を回収するＣＯ２回収方法であって、前記吸着塔に原料ガスを導入して、原料ガスに含有されているＣＯ２を前記吸着剤に吸着させる吸着工程と、前記吸着塔に洗浄用ガスを導入して、前記吸着剤からＣＯ２以外のガスを離脱させる洗浄工程と、前記吸着剤からＣＯ２を離脱させて吸着塔から導出する回収工程とを行い、前記洗浄工程において前記吸着塔から導出したオフガスを、オフガス貯留部に貯留し、前記オフガス貯留部に貯留したオフガスを原料ガスに混合させることにより、前記吸着塔に導入する原料ガスのＣＯ２濃度を調節することを特徴とする、ＣＯ２回収方法が提供される。
【００１３】
この方法では、前記洗浄工程の前期においては、前記オフガスを外部に排出し、前記洗浄工程の後期においては、前記オフガスをオフガス貯留部に貯留するようにしても良い。
【００１４】
また、前記オフガスのＣＯ２濃度が９０％未満である場合は、前記オフガスを外部に排出し、前記オフガスのＣＯ２濃度が９０％以上である場合は、前記オフガスを前記オフガス貯留部に貯留するようにしても良い。
【００１５】
前記オフガス貯留部に貯留したオフガスを混合させることにより、前記吸着塔に導入する原料ガスのＣＯ２濃度を設定濃度以上にするようにしても良い。例えば、前記吸着塔に原料ガスを導入する前に、原料ガスのＣＯ２濃度を検出し、前記検出した原料ガスのＣＯ２濃度が設定濃度未満である場合は、前記オフガス貯留部に貯留したオフガスを前記吸着塔に導入する原料ガスに混合させ、前記検出した原料ガスのＣＯ２濃度が設定濃度以上である場合は、前記オフガス貯留部に貯留したオフガスを前記吸着塔に導入する原料ガスに混合させないようにしても良い。
【００１６】
原料ガスは、高炉に熱風を供給する熱風炉の排ガスでも良い。また、前記排ガスが、前記熱風炉で可燃ガスを燃焼させて蓄熱を行う燃焼工程を行う際に排出された排ガスである場合は、前記オフガス貯留部に貯留したオフガスを前記原料ガスに混合させず、前記排ガスが、前記燃焼工程の後に前記熱風炉内を排気して減圧する排圧工程を行う際に排出された排ガスである場合は、前記オフガス貯留部に貯留したオフガスを前記原料ガスに混合させるようにしても良い。
【００１７】
さらに、複数の吸着塔において、前記吸着工程、前記洗浄工程、前記回収工程をそれぞれ行うようにしても良い。そして、前記複数の吸着塔から導出したオフガスを、前記オフガス貯留部に一括して貯留し、前記オフガス貯留部に貯留したオフガスを原料ガスに混合させ、前記複数の吸着塔のいずれかに導入させるようにしても良い。
【００１８】
また、本発明によれば、吸着剤を備える吸着塔を用いて、原料ガスからＣＯ２を回収するＣＯ２回収装置であって、前記吸着塔に原料ガスを導入する原料ガス導入路と、前記吸着塔からオフガスを導出するオフガス導出路と、前記吸着剤に吸着されたＣＯ２を前記吸着塔から導出する回収ガス導出路と、前記吸着塔に洗浄用ガスを導入する洗浄用ガス導入路と、を備え、前記オフガス導出路によって導出したオフガスを外部に排出させるオフガス排出路と、前記オフガス導出路によって導出したオフガスを貯留するオフガス貯留部とを設け、前記オフガスを前記オフガス排出路によって排出する状態と前記オフガス貯留部に貯留する状態とを切り替えるオフガス導出切替部と、前記オフガス貯留部に貯留されたオフガスを前記原料ガス導入路によって導入される原料ガスに混合させる状態と混合させない状態とを切り替えるオフガス導入切替部とを備えることを特徴とする、ＣＯ２回収装置が提供される。
【００１９】
前記オフガス導出切替部を制御するオフガス導出制御部を設けても良い。前記オフガス導出制御部は、前記洗浄用ガス導入路によって前記洗浄用ガスを導入する際、前記オフガスを前記オフガス貯留部に貯留するように制御する構成としても良い。
【００２０】
前記オフガス導出制御部は、前記洗浄用ガス導入路による前記洗浄用ガスの導入を開始してから所定時間が経過するまでは、前記オフガスを前記オフガス排出路によって排出させ、前記洗浄用ガス導入路による前記洗浄用ガスの導入を開始してから所定時間が経過したら、前記オフガスを前記オフガス貯留部に貯留するように制御するとしても良い。
【００２１】
また、前記オフガス導出制御部は、前記オフガスのＣＯ２濃度が９０％未満である場合は、前記オフガスを前記オフガス排出路によって排出させ、前記オフガスのＣＯ２濃度が９０％以上である場合は、前記オフガスを前記オフガス貯留部に貯留するように制御するとしても良い。
【００２２】
また、前記オフガス導入切替部を制御するオフガス導入制御部を設けても良い。前記オフガス導入制御部は、前記オフガスを混合した後の原料ガスのＣＯ２濃度が設定濃度以上になるように、前記オフガスの混合を制御する構成としても良い。
【００２３】
前記原料ガス導入路には、原料ガスのＣＯ２濃度を検出するＣＯ２濃度検出器を設けても良い。前記オフガス導入制御部は、前記ＣＯ２濃度検出器によって検出した原料ガスのＣＯ２濃度が設定濃度未満である場合は、前記オフガス貯留部に貯留したオフガスを前記吸着塔に導入する原料ガスに混合させ、前記検出した原料ガスのＣＯ２濃度が設定濃度以上である場合は、前記オフガス貯留部に貯留したオフガスを前記吸着塔に導入する原料ガスに混合させないように制御する構成としても良い。
【００２４】
前記吸着塔は複数備えても良い。前記オフガス貯留部は、前記複数の吸着塔から導出されたオフガスを一括して貯留するものとしても良い。
【発明の効果】
【００２５】
本発明によれば、洗浄工程において導出されるＣＯ２濃度が高いオフガスを利用して、原料ガスのＣＯ２濃度を調節できる。これにより、吸着塔内のＣＯ２分圧を調節し、ＣＯ２を吸着剤に対して好適に吸着させ、ＣＯ２の回収効率の向上を図ることができる。例えば原料ガスのＣＯ２濃度が一時的に低下する場合でも、オフガスを混合することで、原料ガスのＣＯ２濃度を設定濃度以上に高め、原料ガスのＣＯ２濃度の均一化を図ることができる。従って、ＣＯ２を確実に回収できる。
【００２６】
また、原料ガスのＣＯ２濃度を高めることで、吸着工程の後に吸着塔内に残留する非ＣＯ２成分の量を減少させることができる。洗浄工程においては、洗浄用ガスの供給量を抑制しながらも、吸着塔から非ＣＯ２成分を十分に排出させることができる。即ち、洗浄用ガス（回収ガス）の供給量を抑制することにより、回収ガスの回収量が低下することを防止できる。また、吸着塔から非ＣＯ２成分を十分に排出させることで、純度が高い回収ガスを得ることができる。
【００２７】
また、回収ガスを利用しなくても、オフガスを有効に利用して、原料ガスのＣＯ２濃度を調節することができるので、回収ガスの回収量が低下することを防止できる。従来は外部に排出されていたオフガスを、原料ガスと共に吸着塔に再度導入させ、オフガスに含有されているＣＯ２を回収できる。従って、ＣＯ２の回収効率を向上させることができる。
【００２８】
さらに、例えば既存のＣＯ２回収装置に対しては、オフガス貯留部、オフガス導出切替部、オフガス導入切替部等、簡単な構成を追加するだけで、大規模な工事や費用の高い工事を行うことなく、ＣＯ２の回収効率を容易に向上させることができる。新規にＣＯ２回収装置を構築する場合も、設備費を抑えることができる。
【発明を実施するための最良の形態】
【００２９】
以下、本発明にかかる実施形態を、熱風炉から排出される排ガスからＣＯ２（炭酸ガス）を回収するＣＯ２回収装置１（ＰＳＡ装置）に基づいて説明する。図１に示すように、ＣＯ２回収装置１は、３つの吸着塔、即ち、第一の吸着塔２Ａ、第二の吸着塔２Ｂ、第三の吸着塔２Ｃを備えている。各吸着塔２Ａ、２Ｂ、２Ｃは、互いに同様の構成を有している。各吸着塔２Ａ、２Ｂ、２Ｃの内部には、ＣＯ２を選択的に吸着する吸着剤３がそれぞれ備えられている。吸着剤３としては、例えばゼオライト、活性炭等が使用される。
【００３０】
また、ＣＯ２回収装置１は、各吸着塔２Ａ、２Ｂ、２Ｃに原料ガスを導入する原料ガス導入路１１と、各吸着塔２Ａ、２Ｂ、２Ｃからオフガス（導出ガス）を導出するオフガス導出路１２を備えている。さらに、各吸着塔２Ａ、２Ｂ、２Ｃ内の吸着剤３によって吸着されたＣＯ２を吸引して各吸着塔２Ａ、２Ｂ、２Ｃから回収ガス（製品ガス）として導出する回収ガス導出路１３と、各吸着塔２Ａ、２Ｂ、２Ｃに洗浄用ガス（後述する回収ガス貯留部６７に貯留されている回収ガス）を導入する洗浄用ガス導入路１５を備えている。さらに、ＣＯ２回収装置１の各部を制御する制御部１６が設けられている。
【００３１】
原料ガス導入路１１は、１本の熱風炉側原料ガス流路２１と、熱風炉側原料ガス流路２１の下流側に設けられている３本の吸着塔側原料ガス流路２２、２２、２２とを備えている。
【００３２】
熱風炉側原料ガス流路２１の上流端は、原料ガスの供給源である４基の熱風炉Ｆ１、Ｆ２、Ｆ３、Ｆ４に接続されており、各熱風炉Ｆ１、Ｆ２、Ｆ３、Ｆ４から排出された排ガスが合流させられて、原料ガスとして１本の熱風炉側原料ガス流路２１に導入される構成となっている。熱風炉側原料ガス流路２１には、原料ガスを水洗及び冷却する水洗塔２３、原料ガスを下流側に向かって送風する原料ガスブロワー２４、原料ガスの脱湿を行う脱湿器２５、原料ガスの清浄化（異物除去）を行うフィルター機構２６が、上流側からこの順に設けられている。さらに、フィルター機構２６より下流側において、熱風炉側原料ガス流路２１には、後述するオフガス導入路５１の下流端が接続されている。
【００３３】
各吸着塔側原料ガス流路２２の下流端は、各吸着塔２Ａ、２Ｂ、２Ｃの入口に対してそれぞれ接続されている。各吸着塔側原料ガス流路２２には、各吸着塔側原料ガス流路２２の連通及び遮断を行う原料ガス流路開閉弁２７がそれぞれ設けられている。
【００３４】
オフガス導出路１２は、３本の吸着塔側オフガス流路３１、３１、３１と、吸着塔側オフガス流路３１、３１、３１の下流側に設けられている１本の排出側オフガス流路３２とを備えている。なお、オフガス導出路１２によって導出されるオフガスは、吸着剤３によって吸着されにくい難吸着性ガス（例えばＮ２（窒素）、Ｈ２（水素）、Ｏ２（酸素）等の非ＣＯ２成分）、吸着剤３によって吸着されなかったＣＯ２等を含むガスである。
【００３５】
各吸着塔側オフガス流路３１の上流端は、各吸着塔２Ａ、２Ｂ、２Ｃの出口に対してそれぞれ接続されている。即ち、各吸着塔２Ａ、２Ｂ、２Ｃの出口側からオフガスを導出するようになっている。各吸着塔側オフガス流路３１には、各吸着塔側オフガス流路３１の連通及び遮断を行うオフガス流路開閉弁３７がそれぞれ設けられている。
【００３６】
排出側オフガス流路３２の下流側には、排出側オフガス流路３２（オフガス導出路１２）によって導出されるオフガスをＣＯ２回収装置１の外部に排出させるオフガス排出路４１と、排出側オフガス流路３２によって導出されるオフガスをオフガス貯留部４２に導入するオフガス貯留路４３とが設けられている。
【００３７】
オフガス排出路４１には、オフガス排出路４１の連通及び遮断を行う排出路開閉弁４５が設けられている。オフガス排出路４１の下流端は、煙突４６に接続されている。オフガス貯留路４３には、オフガス貯留路４３の連通及び遮断を行う貯留路開閉弁４７が設けられている。オフガス貯留路４３の下流端は、オフガス貯留部４２に接続されている。
【００３８】
なお、本実施の形態においては、排出路開閉弁４５と貯留路開閉弁４７は、オフガスをオフガス排出路４１によって排出する状態とオフガス貯留部４２に貯留する状態とを切り替えるオフガス導出切替部５０を構成している。オフガス導出切替部５０の切替動作（排出路開閉弁４５の開閉動作と貯留路開閉弁４７の開閉動作）は、制御部１６の制御命令によって制御される。即ち、制御部１６は、オフガス導出切替部５０を制御するオフガス導出制御部としての機能を有している。
【００３９】
オフガス貯留部４２は、３つの吸着塔２Ａ、２Ｂ、２Ｃからそれぞれ導出されたオフガスを一括して貯留するようになっている。オフガス貯留部４２には、オフガス貯留部４２内に貯留されているオフガスを原料ガス導入路１１によって吸着塔２Ａ、２Ｂ、２Ｃに導入される原料ガスに対して混合させるオフガス導入路５１が接続されている。オフガス導入路５１には、オフガスを下流側に向かって送風するオフガスブロワー５３が設けられている。オフガス導入路５１の下流端は、熱風炉側原料ガス流路２１（フィルター機構２６よりも下流側）に対して接続されている。
【００４０】
なお、本実施の形態においては、オフガスブロワー５３は、オフガス貯留部４２に貯留されたオフガスを原料ガス導入路１１によって導入される原料ガスに混合させる状態と混合させない状態とを切り替えるオフガス導入切替部として機能する。オフガスブロワー５３の動作は、制御部１６の制御命令によって制御される。即ち、制御部１６は、オフガス導入切替部を制御するオフガス導入制御部としての機能を有している。
【００４１】
回収ガス導出路１３は、３本の吸着塔側回収ガス流路６１、６１、６１と、３本の吸着塔側回収ガス流路６１、６１、６１の下流側に設けられている１本の貯留部側回収ガス流路６２とを備えている。
【００４２】
各吸着塔側回収ガス流路６１の上流端は、各吸着塔２Ａ、２Ｂ、２Ｃの入口に対してそれぞれ接続されている。各吸着塔側回収ガス流路６１には、各吸着塔側回収ガス流路６１の連通及び遮断を行う回収ガス流路開閉弁６５がそれぞれ設けられている。
【００４３】
貯留部側回収ガス流路６２には、各吸着塔側回収ガス流路６１内のガス及び各吸着塔２Ａ、２Ｂ、２Ｃ内のガスを強制的に吸引する真空ポンプ６６が設けられている。貯留部側回収ガス流路６２の下流端は、回収ガス貯留部６７に接続されている。
【００４４】
回収ガス貯留部６７には、回収ガス貯留部６７内の回収ガスを回収ガス貯留部６７から最終製品ガス貯留部７１に送出する回収ガス送出路７２の上流端と、洗浄用ガス導入路１５（後述する貯留部側洗浄用ガス流路８１）の上流端が接続されている。回収ガス送出路７２には、回収ガスの脱酸素処理、脱湿、脱臭等の処理を行う回収ガス処理部７３が設けられている。
【００４５】
洗浄用ガス導入路１５は、１本の貯留部側洗浄用ガス流路８１と、貯留部側洗浄用ガス流路８１の下流側に設けられている３本の吸着塔側洗浄用ガス流路８２、８２、８２とを備えている。
【００４６】
貯留部側洗浄用ガス流路８１の上流端は、回収ガス貯留部６７に接続されている。貯留部側洗浄用ガス流路８１には、洗浄用ガスを下流側に向かって送風する洗浄用ガスブロワー８３が設けられている。
【００４７】
各吸着塔側洗浄用ガス流路８２の下流端は、各吸着塔２Ａ、２Ｂ、２Ｃの入口に対してそれぞれ接続されている。各吸着塔側洗浄用ガス流路８２には、各吸着塔側洗浄用ガス流路８２の連通及び遮断を行う洗浄用ガス流路開閉弁８７がそれぞれ設けられている。
【００４８】
制御部１６は、ＣＯ２回収装置１の各部（例えば各原料ガス流路開閉弁２７、オフガス流路開閉弁３７、オフガス導出切替部５０（排出路開閉弁４５、貯留路開閉弁４７）、オフガスブロワー５３、回収ガス流路開閉弁６５、洗浄用ガス流路開閉弁８７等）の作動を制御することにより、後述するＣＯ２回収方法（昇圧工程ＳＲ１、吸着工程ＳＲ２、洗浄工程ＳＲ３、回収工程ＳＲ４からなる処理）を実現させる。制御部１６は、例えばタイマー等を備え、シーケンス制御によって後述するＣＯ２回収方法を行わせる構成としても良い。
【００４９】
図２は、熱風炉Ｆ１〜Ｆ４が行う工程と、オフガス導入路５１によるオフガスの導入との関係を示した表である。また、図３は、吸着塔２Ａ〜２Ｃが行う工程と、オフガス導出切替部５０の切替との関係を示した表である。
【００５０】
図２に示すように、制御部１６は、２基の熱風炉Ｆ１、Ｆ２（又は熱風炉Ｆ３、Ｆ４）において後述する燃焼工程ＳＦ１が行われているときは、オフガスブロワー５３の作動を停止させる状態、即ち、オフガス導入路５１によるオフガスの導入を停止させる状態にし、２基の熱風炉Ｆ１、Ｆ２（又は熱風炉Ｆ３、Ｆ４）において後述する排圧工程ＳＦ３が行われているときは、オフガスブロワー５３を作動させる状態、即ち、オフガス導入路５１によるオフガスの導入を行う状態にするように設定されている。このように、オフガス導入路５１によるオフガスの導入を制御することで、オフガスを混合した後の原料ガス導入路１１内の原料ガスのＣＯ２濃度が設定濃度以上になるように調節する構成となっている。
【００５１】
また、図３に示すように、制御部１６は、洗浄用ガス導入路１５によって洗浄用ガスを吸着塔２Ａ、２Ｂ、２Ｃのいずれかに導入する際、洗浄工程ＳＲ３を開始してから（即ち、いずれかの洗浄用ガス流路開閉弁８７を開くことにより、洗浄用ガスの導入を開始してから）所定時間ＴＷ１が経過するまでは、排出路開閉弁４５を開いて貯留路開閉弁４７を閉じた状態、即ち、オフガスをオフガス排出路４１によって排出させる状態にする。そして、洗浄工程ＳＲ３を開始してから所定時間ＴＷ１が経過したら、排出路開閉弁４５を閉じて貯留路開閉弁４７を開いた状態、即ち、オフガスをオフガス貯留部４２に貯留する状態に切り替える。さらに、洗浄工程ＳＲ３を開始してから所定時間ＴＷ２が経過したら、洗浄用ガスの導入を停止させる（開いていた洗浄用ガス流路開閉弁８７を閉じる）とともに、再び排出路開閉弁４５を開いて貯留路開閉弁４７を閉じた状態、即ち、オフガスをオフガス排出路４１によって排出させる状態に戻すように設定されている。これにより、排出側オフガス流路３２から導出されるオフガスのＣＯ２濃度が９０％未満の場合は、オフガスをオフガス排出路４１によって排出させ、排出側オフガス流路３２から導出されるオフガスのＣＯ２濃度が９０％以上である場合は、オフガスをオフガス貯留部４２に貯留するように制御している。
【００５２】
次に、以上のように構成されたＣＯ２回収装置１を用いたＰＳＡ（圧力変動吸着；Ｐｒｅｓｓｕｒｅ  Ｓｗｉｎｇ  Ａｄｓｏｒｐｔｉｏｎ）法によるＣＯ２回収方法について説明する。先ず、原料ガスの供給源である４基の熱風炉Ｆ１、Ｆ２、Ｆ３、Ｆ４は、図２に示すように、炉内で燃料ガスを燃焼させて蓄熱を行う燃焼工程ＳＦ１、炉内に空気を送風して蓄熱により昇温させ、熱風として図示しない高炉に供給する送風工程ＳＦ２、炉内を排気して減圧する排圧工程ＳＦ３を、この順に繰り返し行う。
【００５３】
例えば４基のうち２基の熱風炉Ｆ１、Ｆ２が燃焼工程ＳＦ１を行う間、他の２基の熱風炉Ｆ３、Ｆ４は、送風工程ＳＦ２を行い、高炉に対して熱風を供給する。燃焼工程ＳＦ１を行っている２基の熱風炉Ｆ１、Ｆ２は、ＣＯ２濃度が高い排ガス（燃焼排ガス）をそれぞれ排出し、これらの燃焼排ガスを合流させたガスを原料ガスとして、ＣＯ２回収装置１の原料ガス導入路１１（熱風炉側原料ガス流路２１）に対して供給する。
【００５４】
その後、燃焼工程ＳＦ１を終了した２基の熱風炉Ｆ１、Ｆ２が送風工程ＳＦ２を行い、高炉に対して熱風を供給する間、他の２基の熱風炉Ｆ３、Ｆ４は、排圧工程ＳＦ３を行う。排圧工程ＳＦ３を行っている２基の熱風炉Ｆ３、Ｆ４は、空気を多く含有する排圧ガス、即ち、燃焼工程ＳＦ１における排ガスよりもＣＯ２濃度が低い排ガスをそれぞれ排出し、これらの排圧ガスを合流させたガスを原料ガスとして、ＣＯ２回収装置１の原料ガス導入路１１に対して供給する。
【００５５】
さらに、２基の熱風炉Ｆ１、Ｆ２が送風工程ＳＦ２を継続して行っている間に、排圧工程ＳＦ３を終了した２基の熱風炉Ｆ３、Ｆ４は、燃焼工程ＳＦ１を行う。燃焼工程ＳＦ１を行っている２基の熱風炉Ｆ３、Ｆ４は、ＣＯ２濃度が高い燃焼排ガスをそれぞれ排出し、これらの燃焼排ガスを合流させたガスを原料ガスとして、ＣＯ２回収装置１の原料ガス導入路１１に対して供給する。
【００５６】
その後、送風工程ＳＦ２を終了した２基の熱風炉Ｆ１、Ｆ２は排圧工程ＳＦ３を行い、燃焼工程ＳＦ１を終了した２基の熱風炉Ｆ３、Ｆ４は、再び送風工程ＳＦ２を行う。排圧工程ＳＦ３を行っている２基の熱風炉Ｆ１、Ｆ２は、空気を多く含有する排圧ガスをそれぞれ排出し、これらの排圧ガスを合流させたガスを原料ガスとして、ＣＯ２回収装置１の原料ガス導入路１１に対して供給する。
【００５７】
以上のようにして、原料ガス導入路１１には、熱風炉Ｆ１、Ｆ２又は熱風炉Ｆ３、Ｆ４から、ＣＯ２濃度が高い原料ガス（燃焼排ガス）とＣＯ２濃度が低い原料ガス（排圧ガス）が、交互に周期的に供給される。即ち、原料ガスの濃度は、排圧工程ＳＦ３が行われるときだけ一時的に低下する。
【００５８】
なお、熱風炉Ｆ１〜Ｆ４においては、燃料ガスとして例えばＢＦＧ（高炉ガス）、ＣＯＧ（コークス炉ガス）等が用いられる。この場合、燃焼排ガスのＣＯ２濃度は、例えば約２４％〜２５％程度である。これに対して、排圧ガスのＣＯ２濃度は、例えば約１３％程度まで低下する。また、燃焼工程ＳＦ１が行われる時間（燃焼排ガスが排出される時間）は、例えば約４５分間程度であり、排圧工程ＳＦ３が行われる時間（排圧ガスが排出される時間）は、例えば約１８分間程度である。
【００５９】
一方、ＣＯ２回収装置１においては、原料ガス導入路１１に供給された原料ガスが、原料ガスブロワー２４の作動により、熱風炉側原料ガス流路２１内において通流させられる。即ち、水洗塔２３において水洗され、例えば約４０℃程度に冷却された後、脱湿器２５において脱湿処理が行われ、原料ガス中のＨ２Ｏが除去される。さらに、フィルター機構２６において清浄化される。
【００６０】
フィルター機構２６の下流側においては、原料ガスのＣＯ２濃度が設定濃度よりも低い場合（原料ガスが排圧ガスである場合）は、オフガスブロワー５３の作動により、オフガス貯留部４２に貯留されているオフガス（ＣＯ２濃度が９０％以上のオフガス）が、オフガス導入路５１を通じて熱風炉側原料ガス流路２１内に導入され、熱風炉側原料ガス流路２１内の原料ガスに混合させられる。これにより、原料ガスのＣＯ２濃度が設定濃度以上に高められ、例えば、燃焼排ガスと同程度のＣＯ２濃度になるように調節させられる。こうして、ＣＯ２濃度が調節された原料ガスが、吸着塔２Ａ、２Ｂ、２Ｃ側に送られる。
【００６１】
なお、原料ガスのＣＯ２濃度が設定濃度以上である場合（原料ガスが燃焼排ガスである場合）は、オフガスブロワー５３は作動させない。即ち、原料ガスにはオフガスが混合させられず、原料ガスは、そのまま吸着塔２Ａ、２Ｂ、２Ｃ側に送られる。
【００６２】
また、オフガスの混合は、必ずしも総ての排圧ガスに対して行わなくても良い。即ち、排圧ガスのＣＯ２濃度は、一般的に、排圧工程ＳＦ３の前期よりも、排圧工程ＳＦ３の後期（５分〜６分間程度）において大幅に低下する傾向がある。従って、例えば、排圧工程ＳＦ３の前期に排出される排圧ガスにはオフガスを混合させず、排圧工程ＳＦ３の後期に排出される排圧ガスにのみ、オフガスを混合するようにしても良い。
【００６３】
こうして、設定濃度以上のＣＯ２濃度を有する原料ガスが、熱風炉側原料ガス流路２１から吸着塔側原料ガス流路２２を通じて、第一の吸着塔２Ａ、第二の吸着塔２Ｂ、第三の吸着塔２Ｃのいずれかに導入させられる。
【００６４】
例えば第一の吸着塔２Ａにおいては、先ず、第一の吸着塔２Ａの内部の圧力を所定の圧力に上昇させる昇圧工程ＳＲ１を行う（図４参照）。即ち、第一の吸着塔２Ａに接続されている吸着塔側原料ガス流路２２の原料ガス流路開閉弁２７を開き、第一の吸着塔２Ａに接続されている吸着塔側オフガス流路３１のオフガス流路開閉弁３７、第一の吸着塔２Ａに接続されている吸着塔側回収ガス流路６１の回収ガス流路開閉弁６５、第一の吸着塔２Ａに接続されている吸着塔側洗浄用ガス流路８２の洗浄用ガス流路開閉弁８７をそれぞれ閉じた状態にする。原料ガスは、熱風炉側原料ガス流路２１、吸着塔側原料ガス流路２２を通じて、第一の吸着塔２Ａの入口に導入され、第一の吸着塔２Ａの内部は、原料ガスによって加圧される。このように、第一の吸着塔２Ａの内圧を上昇させることにより、吸着剤３の吸着性能を高めることができる。
【００６５】
第一の吸着塔２Ａの内圧が所定の圧力になり、昇圧工程ＳＲ１が終了したら、次に、原料ガスに含有されているＣＯ２を吸着剤３に吸着させる吸着工程ＳＲ２を行う（図５参照）。即ち、第一の吸着塔２Ａに接続されている吸着塔側オフガス流路３１のオフガス流路開閉弁３７を開き、第一の吸着塔２Ａの出口からオフガスを導出させるようにする。吸着塔側原料ガス流路２２を通じて第一の吸着塔２Ａに導入された原料ガスは、入口側から出口側に向かって流れ、吸着剤３の内部を通過する。吸着剤３においては、原料ガス中のＣＯ２が選択的に吸着される。吸着剤３に吸着されなかった残りのガス、即ち、Ｎ２、Ｈ２、Ｏ２等の非ＣＯ２成分を含むオフガスは、吸着塔側オフガス流路３１を通じて、第一の吸着塔２Ａから導出される。この吸着工程ＳＲ２において吸着塔側オフガス流路３１に導出されるオフガスのＣＯ２濃度は、平均値で約１０％程度である。
【００６６】
第一の吸着塔２Ａにおける吸着工程ＳＲ２が終了したら、洗浄用ガスを第一の吸着塔２Ａに導入して、吸着剤３に付着しているＣＯ２以外のガス（Ｎ２、Ｈ２、Ｏ２等の非ＣＯ２成分）を吸着剤３から離脱（置換脱着）させる洗浄工程ＳＲ３を行う（図６参照）。即ち、第一の吸着塔２Ａに接続されている吸着塔側原料ガス流路２２の原料ガス流路開閉弁２７、第一の吸着塔２Ａに接続されている吸着塔側回収ガス流路６１の回収ガス流路開閉弁６５をそれぞれ閉じ、第一の吸着塔２Ａに接続されている吸着塔側洗浄用ガス流路８２の洗浄用ガス流路開閉弁８７を開いた状態で、洗浄用ガスブロワー８３を作動させる。すると、回収ガス貯留部６７内に予め貯留されている回収ガス（ＣＯ２）の一部が、洗浄用ガスとして、貯留部側洗浄用ガス流路８１、吸着塔側洗浄用ガス流路８２を通じて、第一の吸着塔２Ａの入口に導入される。こうして洗浄用ガスを吸着剤３に供給することにより、吸着剤３に吸着されている非ＣＯ２成分を、洗浄用ガスのＣＯ２成分によって置換脱着させることにより、吸着剤３から離脱させ、洗浄用ガスによって吸着剤３から出口側に押し出し、第一の吸着塔２Ａから排出させることができる。また、吸着剤３の周囲において第一の吸着塔２Ａ内に残留している非ＣＯ２成分も、洗浄用ガスによって出口側に押し流し、第一の吸着塔２Ａから排出させることができる。即ち、第一の吸着塔２Ａの内部を洗浄用ガスによってパージし、内部のＣＯ２濃度を高めることができる。オフガス（非ＣＯ２成分及び洗浄用ガス）は、吸着塔側オフガス流路３１を通じて第一の吸着塔２Ａから導出される。
【００６７】
この洗浄工程ＳＲ３において吸着塔側オフガス流路３１に導出されるオフガスのＣＯ２濃度は、平均値で約１５．７％程度であるが、洗浄用ガスの導入を開始してから時間が経過するに従い、次第に上昇する。なお、洗浄工程ＳＲ３の前期に導出されるオフガスは、吸着塔側オフガス流路３１、排出側オフガス流路３２、オフガス排出路４１、煙突４６を通じて外部に排出させられる。また、洗浄工程ＳＲ３の後期に導出されるオフガス（一回の洗浄工程ＳＲ３で塔内に供給される洗浄用ガスの全体積に対して、１割程度の体積のオフガス）は、吸着塔側オフガス流路３１、排出側オフガス流路３２、オフガス貯留路４３を通じて、オフガス貯留部４２に導入され、オフガス貯留部４２内に貯留される。かかるオフガスの排出と貯留の切り替えについては、後に詳細に説明する。
【００６８】
第一の吸着塔２Ａにおける洗浄工程ＳＲ３が終了したら、吸着剤３によって吸着されたＣＯ２を吸引して離脱（真空脱着）させ、第一の吸着塔２Ａから導出させる回収工程ＳＲ４（減圧工程）を行う（図６参照）。即ち、第一の吸着塔２Ａに接続されている吸着塔側原料ガス流路２２の原料ガス流路開閉弁２７、第一の吸着塔２Ａに接続されている吸着塔側オフガス流路３１のオフガス流路開閉弁３７、第一の吸着塔２Ａに接続されている吸着塔側洗浄用ガス流路８２の洗浄用ガス流路開閉弁８７をそれぞれ閉じ、第一の吸着塔２Ａに接続されている吸着塔側回収ガス流路６１の回収ガス流路開閉弁６５を開いた状態で、真空ポンプ６６を作動させる。すると、貯留部側回収ガス流路６２、吸着塔側回収ガス流路６１内が減圧され、第一の吸着塔２Ａ内のガスが、吸着塔側回収ガス流路６１によって強制的に吸引される。即ち、塔内が減圧されて略真空状態にされる。第一の吸着塔２Ａ内に残留していた洗浄用ガスは、第一の吸着塔２Ａの入口側から導出され、吸着塔側回収ガス流路６１、貯留部側回収ガス流路６２を通じて、回収ガス貯留部６７に戻される。また、吸着剤３に吸着されていたＣＯ２は、吸着剤３から真空脱着により離脱させられ、洗浄用ガスと共に第一の吸着塔２Ａの入口側から導出され、回収ガス貯留部６７に導入され、回収ガス（洗浄用ガス）として貯留される。こうして、第一の吸着塔２Ａから約９９％以上のＣＯ２濃度を有する純度が高いＣＯ２を吸引し、回収ガス貯留部６７に集めることができる。
【００６９】
第一の吸着塔２Ａにおける回収工程ＳＲ４が終了したら、上述した昇圧工程ＳＲ１を再び行い、回収工程ＳＲ４において減圧された第一の吸着塔２Ａ内の圧力を所定の圧力に戻す。そして、上述した吸着工程ＳＲ２、洗浄工程ＳＲ３、回収工程ＳＲ４を再び行う。以上のようにして、第一の吸着塔２Ａにおいては、昇圧工程ＳＲ１、吸着工程ＳＲ２、洗浄工程ＳＲ３、回収工程ＳＲ４からなる一連のプロセスを繰り返し行うことにより、ＣＯ２を連続的に回収することができる。
【００７０】
一方、第二の吸着塔２Ｂは、図３に示すように、第一の吸着塔２Ａにおいて洗浄工程ＳＲ３を行っている間に、昇圧工程ＳＲ１及び吸着工程ＳＲ２をこの順に行い、第一の吸着塔２Ａにおいて回収工程ＳＲ４を行っている間に、洗浄工程ＳＲ３を行い、第一の吸着塔２Ａにおいて昇圧工程ＳＲ１及び吸着工程ＳＲ２を行っている間に、回収工程ＳＲ４を行う。なお、第二の吸着塔２Ｂにおける昇圧工程ＳＲ１、吸着工程ＳＲ２、洗浄工程ＳＲ３、回収工程ＳＲ４は、上述した第一の吸着塔２Ａにおいて行われるものとほぼ同様であるため、詳細な説明は省略する。
【００７１】
また、第三の吸着塔２Ｃは、図３に示すように、第一の吸着塔２Ａにおいて回収工程ＳＲ４を行っている間（第二の吸着塔２Ｂにおいて洗浄工程ＳＲ３を行っている間）に、昇圧工程ＳＲ１及び吸着工程ＳＲ２をこの順に行い、第一の吸着塔２Ａにおいて昇圧工程ＳＲ１及び吸着工程ＳＲ２を行っている間（第二の吸着塔２Ｂにおいて回収工程ＳＲ４を行っている間）に、洗浄工程ＳＲ３を行い、第一の吸着塔２Ａにおいて洗浄工程ＳＲ３を行っている間（第二の吸着塔２Ｂにおいて昇圧工程ＳＲ１及び吸着工程ＳＲ２を行っている間）に、回収工程ＳＲ４を行う。なお、第三の吸着塔２Ｃにおける昇圧工程ＳＲ１、吸着工程ＳＲ２、洗浄工程ＳＲ３、回収工程ＳＲ４も、上述した第一の吸着塔２Ａにおいて行われるものとほぼ同様であるため、詳細な説明は省略する。
【００７２】
こうして、第一の吸着塔２Ａ、第二の吸着塔２Ｂ、第三の吸着塔２Ｃは、いずれか１つが昇圧工程ＳＲ１及び吸着工程ＳＲ２を行っている間に、他の１つは洗浄工程ＳＲ３を並行して行い、別の１つは回収工程ＳＲ４を並行して行うように制御される。従って、熱風炉Ｆ１〜Ｆ４側から供給された原料ガスは、第一の吸着塔２Ａ、第二の吸着塔２Ｂ、第三の吸着塔２Ｃのいずれかに導入され、昇圧工程ＳＲ１又は吸着工程ＳＲ２に使用される。
【００７３】
ところで、上述したように、第一の吸着塔２Ａ、第二の吸着塔２Ｂ、第三の吸着塔２Ｃからは、吸着工程ＳＲ２と洗浄工程ＳＲ３において、それぞれオフガスが導出される。このうち、吸着工程ＳＲ２において導出されるオフガスは、吸着剤３によってＣＯ２が吸着されるため、低ＣＯ２濃度のガスになる。しかし、原料ガスの導入を開始してから時間が経過するに従い、吸着剤３に吸着可能なＣＯ２の量が減少するので、吸着剤３の吸着性能は次第に低下し、オフガスのＣＯ２濃度は次第に高くなる。また、洗浄工程ＳＲ３において導出されるオフガスは、吸着剤３から離脱された非ＣＯ２成分や、吸着剤３の周囲に残留していた非ＣＯ２成分を含有するため、低ＣＯ２濃度のガスになる。しかし、洗浄用ガスの導入を開始してから時間が経過するに従い、塔内の非ＣＯ２成分は次第に減少するので、オフガスのＣＯ２濃度は次第に高くなり、吸着剤３に導入する前の洗浄用ガスのＣＯ２濃度とほぼ同程度になる。そのため、排出側オフガス流路３２に流入するオフガスのＣＯ２濃度は、洗浄工程ＳＲ３を開始してから時間が経過するに従い、次第に高くなり、洗浄工程ＳＲ３の後期においては、９０％以上になる。
【００７４】
即ち、例えば第一の吸着塔２Ａにおいて洗浄工程ＳＲ３を行っている場合、洗浄工程ＳＲ３の前期（本実施形態では、第一の吸着塔２Ａに対する洗浄用ガスの導入を開始してから所定時間ＴＷ１が経過するまでの間）に排出側オフガス流路３２に流入するオフガスは、ＣＯ２濃度が９０％未満の低ＣＯ２濃度のガスである。これに対し、洗浄工程ＳＲ３の後期（本実施形態では、第一の吸着塔２Ａに対する洗浄用ガスの導入を開始してから所定時間ＴＷ１が経過した後、所定時間ＴＷ２が経過するまで）において排出側オフガス流路３２に流入するオフガス（即ち、洗浄工程ＳＲ３を行っている第一の吸着塔２Ａから導出されるオフガスと、吸着工程ＳＲ２を行っている第二の吸着塔２Ｂから導出されるオフガスとの混合ガス）は、ＣＯ２濃度が９０％以上の高ＣＯ２濃度のガスになる。同様に、第二の吸着塔２Ｂや第三の吸着塔２Ｃにおいて洗浄工程ＳＲ３を行っている場合も、洗浄工程ＳＲ３の前期に排出側オフガス流路３２に流入するオフガスは、ＣＯ２濃度が９０％未満の低ＣＯ２濃度のガスとなり、洗浄工程ＳＲ３の後期において排出側オフガス流路３２に流入するオフガスは、ＣＯ２濃度が９０％以上の高ＣＯ２濃度のガスになる。
【００７５】
このように排出側オフガス流路３２に流入したオフガスのうち、ＣＯ２濃度が９０％未満の低ＣＯ２濃度のガスは、オフガス排出路４１によって外部に排出させる。一方、ＣＯ２濃度が９０％以上の高ＣＯ２濃度のガスは、オフガス貯留部４２に貯留させる。
【００７６】
即ち、第一の吸着塔２Ａ、第二の吸着塔２Ｂ、第三の吸着塔２Ｃのいずれかに対して洗浄用ガスの導入を開始してから（いずれかの開閉弁６５を開いてから）所定時間ＴＷ１が経過するまでは、制御部１６の制御により、排出路開閉弁４５を開いて貯留路開閉弁４７を閉じた状態にする。これにより、排出側オフガス流路３２に流入したオフガス（ＣＯ２濃度が９０％未満のガス）を、オフガス排出路４１によって排出させる。その後、洗浄用ガスの導入を開始してから所定時間ＴＷ１が経過したら、制御部１６の制御により、排出路開閉弁４５を閉じて貯留路開閉弁４７を開いた状態にする。これにより、排出側オフガス流路３２に流入したオフガス（ＣＯ２濃度が９０％以上のガス）を、オフガス貯留路４３に導入させ、オフガス貯留部４２に貯留させる。その後、洗浄用ガスの導入を開始してから所定時間ＴＷ２が経過したら、制御部１６の制御により、洗浄用ガスの導入を停止させ、排出路開閉弁４５を開いて貯留路開閉弁４７を閉じた状態にする。これにより、オフガス貯留路４３に対するオフガスの導入を停止させる。こうして、オフガス貯留部４２には、ＣＯ２濃度が９０％以上の高濃度のオフガスが集められる。オフガス貯留部４２に貯留したオフガスは、上述したように、原料ガスのＣＯ２濃度を調節するためのガスとして用いられる。
【００７７】
一方、第一の吸着塔２Ａ、第二の吸着塔２Ｂ、第三の吸着塔２Ｃからは、回収工程ＳＲ４において、それぞれ回収ガスが導出される。これらの回収ガスは、回収ガス貯留部６７に順次導入され、一括して貯留される。回収ガス貯留部６７内の回収ガスのうち一部は、上述したように、洗浄用ガスとして、第一の吸着塔２Ａ、第二の吸着塔２Ｂ、第三の吸着塔２Ｃのいずれかに導入される。また、回収ガス貯留部６７内の回収ガスのうち一部は、回収ガス送出路７２を通じて、回収ガス処理部７３に導入され、脱酸素、脱湿、脱臭等の処理が行われた後、最終製品ガス貯留部７１に移送される。こうして、純度の高い（ＣＯ２濃度が高い）最終製品ガスを得ることができる。
【００７８】
以上説明したように、かかるＣＯ２回収装置１及びＣＯ２回収方法によれば、洗浄工程ＳＲ３において導出されるＣＯ２濃度が高いオフガスを利用して、原料ガスのＣＯ２濃度を調節できる。これにより、吸着塔２Ａ、２Ｂ、２Ｃ内のＣＯ２分圧を調節し、ＣＯ２を吸着剤３に対して好適に吸着させ、ＣＯ２の回収効率の向上を図ることができる。例えば原料ガスのＣＯ２濃度が一時的に低下する場合でも、オフガスを混合することで、原料ガスのＣＯ２濃度を設定濃度以上に高めることができる。これにより、原料ガスのＣＯ２濃度の均一化を図ることができる。従って、ＣＯ２を確実に安定的に回収できる。
【００７９】
また、原料ガスのＣＯ２濃度を高めることで、吸着工程ＳＲ２の後に吸着塔２Ａ、２Ｂ、２Ｃ内に残留する非ＣＯ２成分の量を減少させることができる。洗浄工程ＳＲ３においては、洗浄用ガスの供給量を抑制しながらも、吸着塔２Ａ、２Ｂ、２Ｃから非ＣＯ２成分を十分に排出させることができる。従って、オフガスとして外部に排出されてしまう洗浄用ガスの量を抑えることができる。即ち、洗浄用ガスの供給量（回収ガス貯留部６７内の回収ガスの消費量）を抑制することにより、回収ガスの回収量、最終製品ガスの回収量が低下することを防止できる。また、吸着塔２Ａ、２Ｂ、２Ｃから非ＣＯ２成分を十分に排出させることで、純度が高い回収ガスを得ることができる。
【００８０】
また、回収ガス貯留部６７内の回収ガス等を利用しなくても、オフガスを有効に利用して、原料ガスのＣＯ２濃度を調節することができる。従って、回収ガスの回収量が低下することを防止できる。従来は外部に排出されていたオフガスを、原料ガスと共に吸着塔２Ａ、２Ｂ、２Ｃに再度導入させ、オフガスに含有されているＣＯ２を回収できる。従って、ＣＯ２の回収効率をさらに向上させることができる。
【００８１】
さらに、かかるＣＯ２回収装置１の構成によれば、例えば既存のＣＯ２回収装置に対しては、オフガス貯留部４２、オフガス貯留路４３、オフガス導出切替部５０、オフガス導入路５１、オフガス導入切替部（オフガスブロワー５３）等、簡単な構成を追加するだけで、ＣＯ２の回収効率を容易に向上させることができる。大規模な工事や費用の高い工事を行うことなく、比較的小規模な工事、安価な改修費によって、ＣＯ２回収装置１の構成を実現できる。新規にＣＯ２回収装置を構築する場合も、設備費を安価に抑えることができる。
【００８２】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００８３】
例えば以上の実施形態では、４基の熱風炉Ｆ１〜Ｆ４から原料ガスが供給されるとしたが、熱風炉の個数はかかるものに限定されず、例えば２基でも良い。また、原料ガスは、高炉に熱風を吹き込む熱風炉から排出される排ガスには限定されず、他の種類の燃焼炉（例えばボイラー等）や熱処理炉から排出される排ガス等であっても良い。要するに、本実施形態は、様々な原料ガス（ＣＯ２含有ガス）からＣＯ２を回収する方法及び装置に応用できる。
【００８４】
ＣＯ２回収装置１は、３つの吸着塔２Ａ、２Ｂ、２Ｃを備えるとしたが、吸着塔の個数は２つ以下でも良いし、４つ以上の任意の複数でも良い。
【００８５】
また、以上の実施形態では、制御部１６は、熱風炉Ｆ１〜Ｆ４で行われている工程に基づいて（即ち、原料ガスが熱風炉Ｆ１〜Ｆ４の排圧ガスであるか燃焼排ガスであるかに基づいて）、オフガス貯留部４２に貯留されているオフガスを原料ガスに混合させる状態と混合させない状態を切り替える制御を行うようにしたが、制御部１６の制御の態様は、かかるものに限定されない。例えば図７に示すように、吸着塔２Ａ，２Ｂ，２Ｃに導入する前の原料ガスのＣＯ２濃度を検出するＣＯ２濃度検出器９１を、原料ガス導入路１１（オフガス導入路５１の下流端よりも上流側）に設け、かかるＣＯ２濃度検出器９１によって検出された検出値に基づいて、オフガス貯留部４２に貯留されているオフガスを原料ガスに混合させるか否かを制御部１６（オフガス導入制御部）において判断する構成としても良い。
【００８６】
図７に示す例では、ＣＯ２濃度検出器９１は水洗塔２３よりも上流側において、熱風炉側原料ガス流路２１に設けられており、ＣＯ２濃度検出器９１から制御部１６に対して検出値を送信するようになっている。制御部１６は、ＣＯ２濃度検出器９１によって検出した原料ガスのＣＯ２濃度が、予め制御部１６に記憶されている設定濃度未満である場合は、オフガスブロワー５３を作動させ、オフガス貯留部４２に貯留されているオフガスを原料ガス導入路１１内の原料ガスに混合させる状態にする。一方、ＣＯ２濃度検出器９１によって検出した原料ガスのＣＯ２濃度が設定濃度以上である場合は、オフガスブロワー５３を作動させず、オフガス貯留部４２に貯留されているオフガスを原料ガス導入路１１内の原料ガスに混合させない状態にする。
【００８７】
なお、制御部１６は、ＣＯ２濃度検出器９１によって検出した原料ガスのＣＯ２濃度が設定濃度未満である場合、ＣＯ２濃度検出器９１においてＣＯ２濃度を検出してから（即ち、ＣＯ２濃度検出器９１から送信された検出値を受信してから）予め設定されている設定時間が経過した後、オフガスブロワー５３を作動させるように制御する構成としても良い。かかる設定時間は、原料ガスがＣＯ２濃度検出器９１からオフガス導入路５１の下流端が接続されている位置に移動するまでに要する経過時間と同一であっても良い。即ち、ＣＯ２濃度検出器９１によってＣＯ２濃度が検出された原料ガスが、オフガス導入路５１の下流端の接続位置に到着したときに、オフガス導入路５１から導入されるオフガスと合流できるような時間に設定すれば良い。
【００８８】
かかる構成においては、熱風炉Ｆ１，Ｆ２又は熱風炉Ｆ３，Ｆ４から排圧ガスが排出され、原料ガスとして熱風炉側原料ガス流路２１に導入されると、ＣＯ２濃度検出器９１において原料ガスのＣＯ２濃度が検出され、制御部１６において、原料ガスのＣＯ２濃度が設定濃度未満であることが検知される。ＣＯ２濃度検出器９１においてＣＯ２濃度が検出された後、原料ガスは水洗塔２３、原料ガスブロワー２４、脱湿器２５、フィルター機構２６を通過し、ＣＯ２濃度が検出されてから設定時間経過後、オフガス導入路５１の下流端の接続位置に到着する。このとき、オフガスブロワー５３の作動により、オフガス導入路５１から熱風炉側原料ガス流路２１に対してオフガスが導入され、原料ガスに混合される。こうして原料ガスのＣＯ２濃度が設定濃度以上に高められた後、吸着塔２Ａ，２Ｂ，２Ｃ側に送られる。一方、熱風炉Ｆ１，Ｆ２又は熱風炉Ｆ３，Ｆ４から燃焼排ガスが排出され、原料ガスとして熱風炉側原料ガス流路２１に導入されると、ＣＯ２濃度検出器９１において原料ガスのＣＯ２濃度が検出され、制御部１６において、原料ガスのＣＯ２濃度が設定濃度以上であることが検知される。ＣＯ２濃度が検出されてから設定時間経過後、原料ガスはオフガス導入路５１の下流端の接続位置に到着するが、このときはオフガスが導入されず、原料ガスはそのまま吸着塔２Ａ，２Ｂ，２Ｃ側に送られる。このような制御によれば、オフガスの混合をより適確に行い、原料ガスのＣＯ２濃度の調節をより確実に、精度良く行うことが可能である。
【産業上の利用可能性】
【００８９】
本発明は、例えば熱風炉から排出される排ガス等からＣＯ２を回収する方法及び装置に適用できる。
【図面の簡単な説明】
【００９０】
【図１】本実施形態にかかるＣＯ２回収装置の構成を説明する説明図である。
【図２】各熱風炉で行われる工程とオフガスを原料ガスに導入するタイミングとの関係を示した表である。
【図３】各吸着塔で行われる工程とオフガスを排出するタイミング、オフガスを貯留するタイミングとの関係を示した表である。
【図４】第一の吸着塔で昇圧工程及び吸着工程を行い、第二の吸着塔で回収工程を行い、第三の吸着塔で洗浄工程を行っている状態を示した説明図である。
【図５】第一の吸着塔で洗浄工程を行い、第二の吸着塔で昇圧工程及び吸着工程を行い、第三の吸着塔で回収工程を行っている状態を示した説明図である。
【図６】第一の吸着塔で回収工程を行い、第二の吸着塔で洗浄工程を行い、第三の吸着塔で昇圧工程及び吸着工程を行っている状態を示した説明図である。
【図７】別の実施形態にかかるＣＯ２回収装置の構成を説明する説明図である。
【符号の説明】
【００９１】
１      ＣＯ２回収装置
２Ａ、２Ｂ、２Ｃ  吸着塔
３      吸着剤
１１    原料ガス導入路
１２    オフガス導出路
１３    回収ガス導出路
１５    洗浄用ガス導入路
１６    制御部
４１    オフガス排出路
４２    オフガス貯留部
４３    オフガス貯留路
５０    オフガス導出切替部
５３    オフガスブロワー
【図１】
2008174407.tif 000003
【図２】
2008174407.tif 000004
【図３】
2008174407.tif 000005
【図４】
2008174407.tif 000006
【図５】
2008174407.tif 000007
【図６】
2008174407.tif 000008
【図７】
2008174407.tif 000009